(57)【要約】【課題】新たな空調制御方式を各種ビル管理システムにできるだけ容易に導入する。【解決手段】実施形態の空調制御装置の空調制御演算手段は、演算用データに基づいて空調制御演算を行い、空調制御演算結果データを出力し、ゲートウェイ手段は、変換定義情報格納手段の変換定義情報を参照して空調制御元データを空調制御演算を行うための演算用データに変換し、あるいは、空調制御演算の結果得られる空調制御演算結果データを空調設備において空調制御に用いられる空調制御データに変換する。【選択図】図３
2013108644.tif 000002
【特許請求の範囲】
【請求項１】
外部の空調設備から取得した空調制御元データを空調制御演算を行うための演算用データに変換し、あるいは、前記空調制御演算の結果得られる空調制御演算結果データを前記空調設備において空調制御に用いられる空調制御データに変換するための変換定義情報が予め格納された変換定義情報格納手段と、
前記演算用データに基づいて空調制御演算を行い、前記空調制御演算結果データを出力する空調制御演算手段と、
前記変換定義情報を参照して前記空調制御元データを空調制御演算を行うための演算用データに変換し、あるいは、前記空調制御演算の結果得られる空調制御演算結果データを前記空調設備において空調制御に用いられる空調制御データに変換するゲートウェイ手段と、
を備えた空調制御装置。
【請求項２】
前記変換定義情報格納手段は、前記空調設備が複数設けられている場合に、前記空調設備毎に前記変換定義情報を予め格納している、
請求項１記載の空調制御装置。
【請求項３】
前記演算用データ及び前記空調制御演算結果データをデータベースとして一時的に記憶するデータベース手段を備え、
前記空調制御演算手段は、前記データベースを参照して、前記空調制御演算を行う、
請求項１又は請求項２記載の空調制御装置。
【請求項４】
前記データベース手段は、演算要求対象の前記演算用データが格納される演算要求テーブルを有し、
前記空調制御演算手段は、前記演算要求テーブルに前記演算用データが格納されたことをトリガとして、前記空調制御演算を行う、
請求項１乃至請求項３のいずれかに記載の空調制御装置。
【請求項５】
前記ゲートウェイ手段は、前記空調設備から前記空調制御元データを取得する第１データ取得手段と、
前記変換定義情報を参照して前記第１データ取得手段により取得された前記空調制御元データを前記演算用データに変換し、前記データベース手段のデータベースに書き込む第１データ書込手段と、
前記空調制御演算手段から前記データベース手段を介して前記空調制御演算結果データを取得する第２データ取得手段と、
前記変換定義情報を参照して前記第２データ取得手段により取得された前記空調制御演算結果データを前記空調制御データに変換して、前記空調設備に出力する第２データ書込手段と、
を備えた請求項１乃至請求項４のいずれかに記載の空調制御装置。
【請求項６】
前記空調制御元データには、空調対象のエリアの温度情報、湿度情報及び前記空調設備の運転状態情報のうち、少なくともいずれかが含まれている、
請求項１乃至請求項５のいずれかに記載の空調制御装置。
【請求項７】
前記空調制御元データには、空調対象のエリアに関するエリア情報及び当該エリアが位置するビルの設置状況に関するビル情報が含まれている、
請求項１乃至請求項６のいずれかに記載の空調制御装置。
【請求項８】
前記空調制御元データには、前記エリア情報として、空調対象のエリアに隣接するエリアを特定するための隣接エリア特定情報を含む、
請求項７記載の空調制御装置。
【請求項９】
前記空調制御演算手段は、前記空調設備がＰＭＶ制御方式を採用している場合に、前記空調制御演算結果データとして現在ＰＭＶ値データを含める、
請求項１乃至請求項８のいずれかに記載の空調制御装置。
【請求項１０】
外部の空調設備とデータ伝送路を介して接続される空調制御装置において実行される空調制御方法であって、
前記データ伝送路を介して前記空調設備から取得した空調制御元データを空調制御演算を行うための演算用データに変換し、あるいは、前記空調制御演算の結果得られる空調制御演算結果データを前記空調設備において空調制御に用いられる空調制御データに変換するための変換定義情報を予め格納する変換定義情報格納過程と、
前記演算用データに基づいて空調制御演算を行い、前記空調制御演算結果データを出力する空調制御演算過程と、
前記変換定義情報を参照して前記空調制御元データを空調制御演算を行うための演算用データに変換し、あるいは、前記空調制御演算の結果得られる空調制御演算結果データを前記空調設備において空調制御に用いられる空調制御データに変換するゲートウェイ過程と、
を備えた空調制御方法。
【請求項１１】
外部の空調設備とデータ伝送路を介して接続される空調制御装置をコンピュータにより制御するための制御プログラムであって、
前記コンピュータを、
前記データ伝送路を介して前記空調設備から取得した空調制御元データを空調制御演算を行うための演算用データに変換し、あるいは、前記空調制御演算の結果得られる空調制御演算結果データを前記空調設備において空調制御に用いられる空調制御データに変換するための変換定義情報を予め格納する変換定義情報格納手段と、
前記演算用データに基づいて空調制御演算を行い、前記空調制御演算結果データを出力する空調制御演算手段と、
前記変換定義情報を参照して前記空調制御元データを空調制御演算を行うための演算用データに変換し、あるいは、前記空調制御演算の結果得られる空調制御演算結果データを前記空調設備において空調制御に用いられる空調制御データに変換するゲートウェイ手段と、
して機能させる制御プログラム。
【発明の詳細な説明】
【技術分野】
【０００１】
本発明の実施形態は、空調制御装置、空調制御方法及び制御プログラムに関する。
【背景技術】
【０００２】
従来、ビル、オフィス、工場、ショッピングモール等のビル施設において、受変電・自家発設備、熱源・空調設備、照明・防犯・防災設備等を効率的に管理、監視を行うためのビル管理システムの導入が進んでいる。
上述したビル施設において、特に熱源・空調設備については、人々のいる空間に直接作用するものであり、またビル施設においては、多くのエネルギー消費割合を占める設備となっている。
そこで、人々が快適に過ごすことができ、また省エネルギーに繋がるような空調制御の方式が求められる。この方式については、ＰＭＶ(Predicted  Mean  Vote:  予想平均温冷感申告)と呼ばれる空間の快適性を表す指標に注目した制御を行う方法（例えば、特許文献１参照）等、さまざまな手法が提案されている。
【先行技術文献】
【特許文献】
【０００３】
【特許文献１】特開２００７−３０９６号公報
【発明の概要】
【発明が解決しようとする課題】
【０００４】
ところで、通常、ビル管理システムは、開発を行った各社毎の空調制御方式を搭載することから、より好適な空調制御方式があったとしても、当該制御方式を既存の他社のビル管理システムに適用することは非常に困難であった。
本発明は、上記に鑑みてなされたものであって、新たな空調制御方式を各種ビル管理システムにできるだけ容易に導入することが可能となる空調制御装置、空調制御方法及び制御プログラムを提供することを目的とする。
【課題を解決するための手段】
【０００５】
実施形態の空調制御装置の変換定義情報格納手段は、外部の空調設備から取得した空調制御演算結果データを空調制御演算を行うための演算用データに変換し、あるいは、空調制御演算の結果得られる空調制御演算結果データを空調設備において空調制御に用いられる空調制御データに変換するための変換定義情報が予め格納される。
これにより、空調制御演算手段は、演算用データに基づいて空調制御演算を行い、空調制御演算結果データを出力する。
ゲートウェイ手段は、変換定義情報を参照して前記空調制御演算結果データを空調制御演算を行うための演算用データに変換し、あるいは、前記空調制御演算の結果得られる空調制御演算結果データを前記空調設備において空調制御に用いられる空調制御データに変換する。
【図面の簡単な説明】
【０００６】
【図１】図１は、実施形態のビル管理システムの概要構成ブロック図である。
【図２】図２は、空調制御装置の概要構成ブロック図である。
【図３】図３は、空調制御装置の機能構成ブロック図である。
【図４】図４は、ビル情報データベースのデータフォーマットの一例の説明図である。
【図５】図５は、エリア情報データベースのデータフォーマットの一例の説明図である。
【図６】図６は、演算要求データベースのデータフォーマットの一例の説明図である。
【図７】図７は、演算要求データベースと、空調対象エリアとの対応関係説明図である。
【図８】図８は、初期処理の処理フローチャートである。
【図９】図９は、通常処理時におけるゲートウェイ機能部の処理フローチャートである。
【図１０】図１０は、通常処理時における空調制御演算機能部の処理フローチャートである。
【図１１】図１１は、実施形態の変形例の説明図である。
【発明を実施するための形態】
【０００７】
次に実施形態について図面を参照して説明する。
図１は、実施形態のビル管理システムの概要構成ブロック図である。
ビル管理システム１０は、大別すると、ビル管理本体システム１１と、第１データ伝送路１２と、空調制御装置１３と、を備えている。
ここで、ビル管理システム１０は、ビルの受変電・自家発設備２１、熱源・空調設備２２及び照明・防犯・防災設備２３等の各設備を管理している。
【０００８】
ビル管理本体システム１１は、ビルの受変電・自家発設備２１、熱源・空調設備２２及び照明・防犯・防災設備２３等の各設備を集中的にモニタリングするためのヒューマンインタフェース装置２４と、上述した設備２１〜２３の管理に必要となる定義情報や設備２１〜２３から収集したデータを保存、蓄積するためのサーバ装置２５と、設備２１〜２３のいずれかに対応づけられるとともに、対応づけられた設備の制御を行うために設備毎に複数設けられたコントローラ２６と、設備２１〜２３を構成する機器やセンサ等との間のインタフェース動作を行う複数のリモートステーション２７と、を備えている。
【０００９】
上記構成において、各コントローラ２６と、各コントローラ２６に対応づけられたサーバ装置２５とは、第２データ伝送路２８を介して通信可能に接続されている。
【００１０】
図２は、空調制御装置の概要構成ブロック図である。
空調制御装置１３は、図２に示すように、空調制御装置全体を制御するＭＰＵ３１と、ＭＰＵ３１が動作するための制御プログラムを含む各種データを不揮発的に記憶するＲＯＭ３２と、各種データを一時的に記憶し、ワークエリアとして機能するＲＡＭ３３と、ハードディスクドライブ等として構成され、後述するデータベース等の大容量のデータを記憶する外部記憶装置３４と、各種情報を表示するディスプレイ装置３５と、図示しないタッチパネル、キーボード、マウス等を有して構成され、オペレータが各種データを入力するための操作入力装置３６と、第１データ伝送路１２を介して通信を行うための通信インタフェース装置３７と、を備えている。
【００１１】
図３は、空調制御装置の機能構成ブロック図である。
この場合において、ビル管理本体システム１１は、全体としてビル管理システム基本機能部４１として機能した状態で空調制御装置１３に接続されている。
そして、ビル管理システム基本機能部４１としてのビル管理本体システム１１は、熱源・空調設備２２に対しては、空調制御装置１３の制御下で、制御を行う。
【００１２】
すなわち、ビル管理システム基本機能部４１は、管理対象エリアを特定するためのエリア情報、管理対象エリアが属するビルを特定するためのビル情報等のパラメータにより管理対象を特定し、管理対象から入力される温度、湿度、空調運転状態等を示す入力信号に基づいて、対応する管理対象に対して、ＰＭＶ（Predicted  Mean  Vote；予想平均温冷感申告）と呼ばれる空間の快適性を表す値の目標値（ＰＭＶ目標値）に対する温度設定値を出力信号として出力して制御を行う。
上述したビル管理システム基本機能部４１に対して、空調制御装置１３は、ゲートウェイ機能部４２、データベース機能部４３、空調制御演算定義機能部４４及び空調制御演算機能部４５を提供している。
【００１３】
ゲートウェイ機能部４２は、大別すると、ビル管理システム基本機能部４１から制御に必要な各種データを取得する第１データ取得機能部５１と、第１データ取得機能部５１により取得した各種データを空調制御演算定義機能部４４を参照して、空調制御演算機能部が演算可能な共通データフォーマットに変換し、データベース機能部４３に演算要求データとして書き込む第１データ書込機能部５２と、空調制御演算機能部４５により演算された空調制御演算結果データをデータベース機能部４３から取得する第２データ取得機能部５３と、第２データ取得機能部５３において、取得した空調制御演算結果データを空調制御演算定義機能部４４を参照して、実際のビル管理システム基本機能部４１を構成する機器で利用可能な個別の制御用出力データに変換して、ビル管理システム基本機能部４１に出力する第２データ書込機能部５４と、を備えている。
【００１４】
上述したようにデータベース機能部４３には、ビル管理システム基本機能部４１からのデータは、ビル管理システム基本機能部４１を実際に構成している機器あるいはシステムの仕様にかかわらず、共通データフォーマットで書き込みがなされる。一方、ビル管理システム基本機能部４１へのデータは、再び、ビル管理システム基本機能部４１を実際に構成している機器あるいはシステムの仕様に合わせた個別の制御用出力データとされるので、空調制御装置１３は、様々な仕様のビル管理システム基本機能部４１に対して、共通の仕様とすることができるようになっている。
【００１５】
データベース機能部４３は、大別すると、ビル情報データベース（ＤＢ）６１と、エリア情報データベース（ＤＢ）６２と、演算要求データベース（ＤＢ）６３と、を備えている。
【００１６】
ここで、図面を参照してデータベース機能部について説明する。
図４は、ビル情報データベースのデータフォーマットの一例の説明図である。
ビル情報データベース６１は、ビルを特定するためのビルＩＤが格納されたビルＩＤデータ７１、ビルの所在地の緯度情報が格納された緯度データ７２と、ビルの所在地の経度情報が格納された経度データ７３と、ビルの設置に関する情報が格納されたビル設置情報データ７４と、ビル周囲の障害物に関する情報が格納された障害物情報データ７５と、ビル情報が更新されたか否かを判別するために用いられるビルシーケンス番号が格納されたシーケンス番号データ７６と、を備えている。
【００１７】
図５は、エリア情報データベースのデータフォーマットの一例の説明図である。
エリア情報データベース６２は、空調対象エリアが設けられているビルを特定するためのビルＩＤが格納されたビルＩＤデータ８１と、空調対象エリアを特定するためのエリアＩＤが格納されたエリアＩＤデータ８２と、エリアＩＤデータ８２で特定されるエリアの面積情報が格納されたエリア面積データ８３と、エリアＩＤデータ８２で特定されるエリアに隣接するエリアに関する情報が格納された隣接エリアデータ群８４と、温度設定値の算出に関連し、空調対象エリア内の人々の着衣量を表す指標としての着衣量データ８５と、温度設定値の算出に関連し、空調対象エリア内の人々の活動量を表す指標としての活動量データ８６と、ＰＭＶ目標値が格納されたＰＭＶ目標値データ８７と、空調対象エリアのエリア情報が更新されたか否かを判別するために用いられる空調エリアシーケンス番号が格納されたシーケンス番号データ８８と、を備えている。
上記構成において、隣接エリアデータ群８４は、隣接するエリアのエリア番号が格納された隣接エリア番号データ９１と、隣接するエリアの壁の配置等の情報を含む壁面情報データ９２と、隣接するエリアの窓の向き、窓の大きさ等の窓の情報を含む窓情報データ９３と、を含む隣接するエリアに関する情報を含んでいる。
【００１８】
図６は、演算要求データベースのデータフォーマットの一例の説明図である。
演算要求データベース６３は、演算要求に対応する空調対象エリアが属するビルを特定するためのビルＩＤが格納されたビルＩＤデータ１０１と、演算要求に対応する空調対象エリアを特定するためのエリアＩＤデータ１０２と、予め空調対象エリアに設定されたＰＭＶ目標値が格納されたＰＭＶ目標値データ１０３と、空調エリアにおいて実際に温度センサにより測定された室内温度が格納された室内温度データ１０４と、空調エリアにおいて実際に湿度センサにより測定された室内湿度が格納された室内湿度データ１０５と、空調対象エリアに対して、ユーザあるいはオペレータにより設定された設定温度が格納された温度設定値データ１０６と、空調機が運転状態にあるか否かを表す空調機運転状態データ１０７と、空調制御装置１３が設定したデータが格納される空調制御設定データ群１０８と、空調対象エリアの属するビルのビル情報が更新されたか否かを判別するために用いられるビル情報シーケンス番号が格納されたビル情報シーケンス番号データ１０９と、空調対象エリアのエリア情報が更新されたか否かを判別するために用いられるエリア情報シーケンス番号が格納されたエリア情報シーケンス番号データ１１０と、を備えている。
上記構成において、空調制御設定データ群１０８は、空調制御装置１３が設定した温度設定値が格納された温度設定値データ１１１と、空調制御装置１３が演算した現在ＰＭＶ値が格納された現在ＰＭＶ値データ１１２と、を備えている。
【００１９】
ここで、演算要求データベースに格納される演算要求データとしての各種データと、実際の空調対象エリアとの対応関係について詳細に説明する。
図７は、演算要求データベースと、空調対象エリアとの対応関係説明図である。
図７において、ビルＩＤ＝１のビルＢＤには、３つの空調対象エリアＡ１〜Ａ３（エリアＩＤ＝１〜３）が存在するものとする。
【００２０】
空調対象エリアＡ１には、空調機ＡＣ１及びこの空調機ＡＣ１に付随する室内温度センサＳＴ１および室内湿度センサＳＨ１が配置されている。同様に、空調対象エリアＡ２には、空調機ＡＣ２及びこの空調機ＡＣ２に付随する室内温度センサＳＴ２および室内湿度センサＳＨ２が配置され、空調対象エリアＡ３には、空調機ＡＣ３及びこの空調機ＡＣ３に付随する室内温度センサＳＴ３および室内湿度センサＳＨ３が配置されている。
【００２１】
この場合に、空調対象エリアＡ１に対応づけられたビルＢＤを特定するビルＩＤ＝１は、演算要求データベース６３のビルＩＤデータ１０１に格納される。
また、空調対象エリアＡ１を特定するエリアＩＤ＝１は、演算要求データベース６３のエリアＩＤデータ１０２に格納される。
また、室内温度センサＳＴ１により測定された室内温度は、室内温度データＲＴ１として、演算要求データベース６３の室内温度データ１０４に格納される。
【００２２】
また、室内湿度センサＳＨ１により測定された室内湿度は、室内湿度データＲＨ１として、演算要求データベース６３の室内湿度データ１０５に格納される。
また図示しない室内コントローラを介してユーザにより設定された温度設定値、あるいは、オペレータにより予め設定された温度設定値に対応する温度設定値データＳＲＴ１は、演算要求データベース６３の温度設定値データ１０６に格納される。
また、図示しない室内コントローラを介してユーザにより操作された空調機ＡＣ１の運転／非運転（ＯＮ／ＯＦＦ）状態は、空調機運転状態データＡＳ１として、演算要求データベース６３の空調機運転状態データ１０７に格納される。
【００２３】
同様に、空調対象エリアＡ２に対応づけられたビルＢＤを特定するビルＩＤ＝１は、演算要求データベース６３のビルＩＤデータ１０１に格納され、空調対象エリアＡ２を特定するエリアＩＤ＝２は、演算要求データベース６３のエリアＩＤデータ１０２に格納される。
【００２４】
また、室内温度センサＳＴ２により測定された室内温度は、室内温度データＲＴ２として、演算要求データベース６３の室内温度データ１０４に格納され、室内湿度センサＳＨ２により測定された室内湿度は、室内湿度データＲＨ２として、演算要求データベース６３の室内湿度データ１０５に格納される。
また、図示しない室内コントローラを介してユーザにより設定された温度設定値、あるいは、オペレータにより予め設定された温度設定値に対応する温度設定値データＳＲＴ２は、演算要求データベース６３の温度設定値データ１０６に格納され、空調機ＡＣ２の運転／非運転（ＯＮ／ＯＦＦ）状態は、空調機運転状態データＡＳ２として、演算要求データベース６３の空調機運転状態データ１０７に格納される。
【００２５】
また、空調対象エリアＡ３に対応づけられたビルＢＤを特定するビルＩＤ＝１は、演算要求データベース６３のビルＩＤデータ１０１に格納され、空調対象エリアＡ３を特定するエリアＩＤ＝３は、演算要求データベース６３のエリアＩＤデータ１０２に格納される。
【００２６】
また、室内温度センサＳＴ３により測定された室内温度は、室内温度データＲＴ３として、演算要求データベース６３の室内温度データ１０４に格納され、室内湿度センサＳＨ３により測定された室内湿度は、室内湿度データＲＨ３として、演算要求データベース６３の室内湿度データ１０５に格納される。
また、図示しない室内コントローラを介してユーザにより設定された温度設定値、あるいは、オペレータにより予め設定された温度設定値に対応する温度設定値データＳＲＴ３は、演算要求データベース６３の温度設定値データ１０６に格納され、空調機ＡＣ３の運転／非運転（ＯＮ／ＯＦＦ）状態は、空調機運転状態データＡＳ３として、演算要求データベース６３の空調機運転状態データ１０７に格納される。
【００２７】
次に再び空調制御装置１３の機能構成について説明する。
空調制御演算定義機能部４４には、ゲートウェイ機能部４２の説明において述べたように、空調制御装置１３が接続されるビル管理システム基本機能部４１の仕様に合わせて、第１データ取得機能部において、取得したデータのうち、空調制御演算に必要なデータについて、空調制御演算機能部において演算可能な共通データフォーマットを有する演算要求データに変換するための各種定義が記述されている。さらに空調制御演算定義機能部４４には、空調制御演算機能部４５における演算結果である制御用データを再び、ビル管理システム基本機能部４１を実際に構成している機器あるいはシステムの仕様に合わせた個別の制御用出力データに変換するための各種定義が記述されている。
【００２８】
空調制御演算機能部４５は、データベース機能部４３の演算要求データベース６３を定期的に監視しており、演算要求データベース６３に新たな演算要求データが書き込まれた場合に、当該演算要求データに基づいて空調制御演算を行って、演算結果を当該演算要求データに含めて演算要求データベース６３を更新する。
この結果、ゲートウェイ機能部の第２データ取得機能部が、空調制御演算機能部４５の演算結果を含む演算要求データを取得して、第２データ書込機能部に出力する。そして、第２データ書込機能部は、ビル管理システム基本機能部４１を実際に構成している機器あるいはシステムの仕様に合わせた個別の制御用出力データに変換して、ビル管理システム基本機能部４１に出力することとなる。
【００２９】
次に実施形態の動作を説明する。
空調制御装置１３のＭＰＵ３１は、起動されると空調制御演算機能部４５として機能し、初期処理を行う。
図８は、初期処理の処理フローチャートである。
空調制御装置１３のＭＰＵ３１は、データベース機能部４３を参照して、ビル情報データベース６１の読み込み処理を行う（ステップＳ１１）。
次にＭＰＵ３１は、再びデータベース機能部４３を参照してエリア情報データベース６２の読み込み処理を行う（ステップＳ１２）。
【００３０】
図９は、通常処理時におけるゲートウェイ機能部の処理フローチャートである。
図１０は、通常処理時における空調制御演算機能部の処理フローチャートである。
初期処理が完了すると、空調制御装置１３のＭＰＵ３１は、ゲートウェイ機能部４２の第１データ取得機能部５１として機能し、ビル管理システム基本機能部４１から制御に必要な各種データを取得する（ステップＳ２１）。
これにより、空調制御装置１３のＭＰＵ３１は、第１データ書込機能部５２として機能して、取得した各種データをデータベース機能部４３の演算要求データベース６３に演算要求データ（＝空調制御元データ）として書き込む（ステップＳ２２）。
【００３１】
そして、ゲートウェイ機能部４２として機能するＭＰＵ３１は、空調制御演算機能部４５から空調制御演算結果データ（＝空調制御演算結果データ）を取得するタイミングであるか否かを判別し（ステップＳ２３）、待機状態となる（ステップＳ２３；Ｎｏ）。
なお、この第１データ取得機能部５１及び第１データ書込機能部５２としての動作は、周期的に行うようにしても良いし、ビル管理システム基本機能部４１からの要求があった場合に行うようにしても良い。
【００３２】
一方、空調制御装置１３のＭＰＵ３１は、空調制御演算機能部４５として機能し、図１０に示すように、演算を行っていない新たな演算要求データ（＝演算用データ）があるか（更新された演算要求データがあるか）否かを判別する（ステップＳ３１）。
そして、ステップＳ３１の判別において、新たな演算要求データがない、あるいは、更新された演算要求データがない場合には（ステップＳ３１；Ｎｏ）、待機状態となる。
【００３３】
一方、ステップＳ３１の判別において、新たな演算要求データ（＝演算用データ）がある場合には（ステップＳ３１；Ｙｅｓ）、空調制御演算機能部４５として機能するＭＰＵ３１は、データベース機能部４３の演算要求データベース６３を参照し、演算要求データ（＝演算用データ）を読み込む（ステップＳ３２）。
続いて、空調制御演算機能部４５として機能するＭＰＵ３１は、読み込んだ演算要求データ（＝演算用データ）を構成するビル情報シーケンス番号データ１０９がビルＩＤデータ１０１に対応するビル情報シーケンス番号に対して変更があるか否かを判別する（ステップＳ３３）。
【００３４】
ステップＳ３３の判別において、読み込んだ演算要求データ（＝演算用データ）を構成するビル情報シーケンス番号データ１０９がビルＩＤデータ１０１に対応するビル情報シーケンス番号に対して変更がない場合には（ステップＳ３３；Ｎｏ）、ＭＰＵ３１は、処理をステップＳ３５に移行する。
ステップＳ３３の判別において、読み込んだ演算要求データ（＝演算用データ）を構成するビル情報シーケンス番号データ１０９がビルＩＤデータ１０１に対応するビル情報シーケンス番号に対して変更がある場合には（ステップＳ３３；Ｙｅｓ）、ＭＰＵ３１は、初期処理で行ったビル情報読み込み処理（ステップＳ１１）と同様にして、ビル情報の再読込を行う（ステップＳ３４）。
【００３５】
続いてＭＰＵ３１は、読み込んだ演算要求データ（＝演算用データ）を構成するエリア情報シーケンス番号データ１１０がエリアＩＤデータ１０２に対応するエリア情報シーケンス番号に対して変更があるか否かを判別する（ステップＳ３５）。
ステップＳ３５の判別において、読み込んだ演算要求データ（＝演算用データ）を構成するエリア情報シーケンス番号データ１１０がエリアＩＤデータ１０２に対応するエリア情報シーケンス番号に対して変更がない場合には（ステップＳ３５；Ｎｏ）、ＭＰＵ３１は、処理をステップＳ３７に移行する。
【００３６】
ステップＳ３５の判別において、読み込んだ演算要求データ（＝演算用データ）を構成するエリア情報シーケンス番号データ１１０がエリアＩＤデータ１０２に対応するエリア情報シーケンス番号に対して変更がある場合には（ステップＳ３５；Ｙｅｓ）、ＭＰＵ３１は、初期処理で行ったエリア情報読み込み処理（ステップＳ１２）と同様にして、エリア情報の再読込を行う（ステップＳ３６）。
【００３７】
続いて、空調制御演算機能部４５として機能するＭＰＵ３１は、エリアＩＤデータ１０２に対応する空調対象エリアのＰＭＶ目標値データ１０３、室内温度データ１０４、室内湿度データ１０５、温度設定値データ１０６に基づいて、温度設定値データ１１１及び現在ＰＭＶ値データ１１２を演算する空調制御演算を実行する（ステップＳ３７）。そして、演算結果（＝空調制御演算結果データ）である温度設定値データ１１１及び現在ＰＭＶ値データ１１２をデータベース機能部４３の演算要求データベース６３に書き込む（ステップＳ３８）。
【００３８】
その後、ゲートウェイ機能部４２として機能するＭＰＵ３１は、ステップＳ２３の判別において、空調制御演算機能部４５から空調制御演算結果データを取得するタイミングであると判別した場合には（ステップＳ２３；Ｙｅｓ）、ＭＰＵ３１は、第２データ取得機能部５３として機能し、空調制御演算機能部４５により演算された空調制御演算結果データをデータベース機能部４３から取得する（ステップＳ２４）。
【００３９】
続いて、ＭＰＵ３１は、第２データ書込機能部５４として機能し、第２データ取得機能部５３として取得した空調制御演算結果データを制御用出力データ（＝空調制御データ）として、ビル管理システム基本機能部４１に出力する（ステップＳ２５）。
なお、以上の動作説明においては、ゲートウェイ機能部の処理及び空調制御演算機能の処理を同時には行わないものとして説明したが、これらの処理を同時並行して行うように構成することも可能である。
【００４０】
以上の説明のように、本実施形態によれば、空調制御演算機能部４５としての構成は、空調制御装置１３が接続されるビル管理本体システム１１の構成にかかわらず、一定とできるため、空調制御装置１３の既存のビル管理システムへの導入が容易になる。
また、各ビルにおいては、テナントの入れ替わり等により、エリアの情報が必要となる場合も多いが、このようなエリアの情報の変更に対しても、空調制御演算機能部４５における空調制御演算に適切に反映され、そのエリアの状況にあった空調制御を行うことが可能となる。
さらに、空調制御装置１３によれば、複数のビル情報およびそのビルに対する対象エリアの情報を適切に登録し、設定を行うことにより、複数のビルに対しても空調制御を提供することが可能となる。
【００４１】
この場合において、既存のビル管理システムにおけるデータの保存方法は、ビル管理システムにより異なることから第１データ取得機能部５１、第２データ書込機能部５４及び空調制御演算定義機能部４４の設計にあたっては、保存場所、保存形式、手順(プロトコル)を確認し、その内容にしたがい設計を行うことになる。
例えば、図１のサーバ装置２５において、各種データがデータベースの形式で保存されている場合には、ＳＱＬ(Structured  Query  Language)による取得および書き込み、ファイル形式で保存されている場合には、ＦＴＰ(File  Transfer  Protocol)による取得および書き込みを行う必要がある。
【００４２】
以上の説明においては、空調制御装置１３において実現される各種機能やデータベース機能は、単独の空調制御装置を設置し実現する構成としていたが、空調制御演算の負荷等によっては、ビル管理システム内の適切な機器において実現するようにすることも可能である。
【００４３】
図１１は、実施形態の変形例の説明図である。
図１１において、図１と同様の部分には同一の符号を付すものとする。
以上の説明においては、空調制御装置１３は、サーバ装置２５を介して、空調機に接続される構成を採っていたが、図１１におけるビル管理システム１０Ａにおいては、図１における第２データ伝送路２８に相当するデータ伝送路１２１を介してサーバ装置２５を介さずに直接制御するようにしている。
【００４４】
この場合において、データ伝送路１２１としては、例えば、ＢＡＣｎｅｔ(A  data  communication  protocol  for  Building  Automation  and  Control  Networks)プロトコルに対応している場合が考えられる。
上記構成において、空調の制御に関しては、サーバ装置２５と制御が競合する可能性があるので、サーバ装置２５において空調制御装置１３と競合する空調制御機能を行わないようにすることが必要である。
【００４５】
本実施形態の空調制御装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００４６】
また、本実施形態の空調制御装置で実行される制御プログラムを、インターネット等のネットワークに接続されたコンピュータ上に格納し、ネットワーク経由でダウンロードさせることにより提供するように構成しても良い。また、本実施形態の空調制御装置で実行される制御プログラムをインターネット等のネットワーク経由で提供または配布するように構成しても良い。
また、本実施形態の空調制御装置の制御プログラムを、ＲＯＭ等に予め組み込んで提供するように構成してもよい。
【００４７】
本実施形態の空調制御装置で実行される制御プログラムは、上述した各部（ゲートウェイ機能部４２、第１データ取得機能部５１、第１データ書込機能部５２、第２データ取得機能部５３、第２データ書込機能部５４、データベース機能部４３、空調制御演算定義機能部４４、空調制御演算機能部４５）を含むモジュール構成となっており、実際のハードウェアとしてはＭＰＵ（プロセッサ）が上記記憶媒体あるいはＲＯＭ等から制御プログラムを読み出して実行することにより上記各部が主記憶装置上にロードされ、ゲートウェイ機能部４２、第１データ取得機能部５１、第１データ書込機能部５２、第２データ取得機能部５３、第２データ書込機能部５４、データベース機能部４３、空調制御演算定義機能部４４、空調制御演算機能部４５が主記憶装置上に生成されるようになっている。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
１０、１０Ａ    ビル管理システム
１１    ビル管理本体システム（空調設備）
１２    第１データ伝送路
１３    空調制御装置
２１    受変電・自家発設備
２２    熱源・空調設備（空調設備）
２３    照明・防犯・防災設備
２４    ヒューマンインタフェース装置
２５    サーバ装置
２６    コントローラ
２７    リモートステーション
２８    第２データ伝送路
３１    ＭＰＵ（空調制御演算手段、ゲートウェイ手段）
３２    ＲＯＭ
３３    ＲＡＭ
３４    外部記憶装置
３５    ディスプレイ装置
３６    操作入力装置
３７    通信インタフェース装置
４１    ビル管理システム基本機能部
４２    ゲートウェイ機能部（ゲートウェイ手段）
４３    データベース機能部
４４    空調制御演算定義機能部（変換定義情報格納手段）
４５    空調制御演算機能部（空調制御演算手段）
５１    第１データ取得機能部（第１データ取得手段）
５２    第１データ書込機能部（第１データ書込手段）
５３    第２データ取得機能部（第２データ取得手段）
５４    第２データ書込機能部（第２データ書込手段）
６１    ビル情報データベース
６２    エリア情報データベース
６３    演算要求データベース
【図１】
2013108644.tif 000003
【図２】
2013108644.tif 000004
【図３】
2013108644.tif 000005
【図４】
2013108644.tif 000006
【図５】
2013108644.tif 000007
【図６】
2013108644.tif 000008
【図７】
2013108644.tif 000009
【図８】
2013108644.tif 000010
【図９】
2013108644.tif 000011
【図１０】
2013108644.tif 000012
【図１１】
2013108644.tif 000013